(57)【要約】【課題】市販のＤＶＤを再生するＤＶＤプレーヤーでカメラ画像と合わせてＩＴＶＲ固有の情報を表示できるＤＶＤを作成するＤＶＤ作成システムを提供する。【解決手段】ＤＶＤ作成システムは、ＩＴＶＲに記憶されるカメラ画像をＤＶＤ−ＶｉｄｅｏフォーマットでＤＶＤメディアにダビングしてＤＶＤを作成するＤＶＤ作成システムにおいて、上記ＩＴＶＲは上記カメラ画像のデータをＡＶＩデータに変換するＡＶＩデータ作成部及び上記カメラ画像に動きが見られるときの上記カメラ画像に関する情報を字幕として表示できるよう字幕データを作成する字幕データ作成部を有し、上記ＡＶＩデータと上記字幕データとをオーサリングするＤＶＤデータ作成部及び上記ＤＶＤデータを上記ＤＶＤメディアに書き込むＤＶＤデータ書込部を有するＤＶＤ作成装置を備える。【選択図】図２
2010171803.tif 000002
【特許請求の範囲】
【請求項１】
ＩＴＶＲに記憶されるカメラ画像をＤＶＤ−ＶｉｄｅｏフォーマットでＤＶＤメディアにダビングしてＤＶＤを作成するＤＶＤ作成システムにおいて、
上記ＩＴＶＲは上記カメラ画像のデータをＡＶＩデータに変換するＡＶＩデータ作成部及び上記カメラ画像に動きが見られるときの上記カメラ画像に関する情報を字幕として表示できるよう字幕データを作成する字幕データ作成部を有し、
上記ＡＶＩデータと上記字幕データとをオーサリングするＤＶＤデータ作成部及び上記ＤＶＤデータを上記ＤＶＤメディアに書き込むＤＶＤデータ書込部を有するＤＶＤ作成装置を備えることを特徴とするＤＶＤ作成システム。
【発明の詳細な説明】
【技術分野】
【０００１】
この発明は、Ｉｎｄｕｓｔｒｉａｌ  ＴｅｌｅＶｉｓｉｏｎ  Ｒｅｃｏｒｄｅｒ（以下、「ＩＴＶＲ」に記憶されたカメラ画像データをＤＶＤメディアに記録するＤＶＤ作成システムに関するものである。
【背景技術】
【０００２】
従来、ＨＤＤタイプのＩＴＶＲに記憶されたカメラ画像データをＤＶＤメディアにダビングするために、ＩＴＶＲに専用のＤＶＤドライブが内蔵されている（例えば、特許文献１参照）。
【先行技術文献】
【特許文献】
【０００３】
【特許文献１】特開２００４−１０４２８７号公報
【発明の概要】
【発明が解決しようとする課題】
【０００４】
しかし、録画した日付や時間などが記録されたＤＶＤを再生するためには専用のＤＶＤプレーヤーソフトでないと表示できないという問題がある。
【０００５】
この発明の目的は、市販のＤＶＤを再生するＤＶＤプレーヤーでカメラ画像と合わせてＩＴＶＲ固有の情報を表示できるＤＶＤを作成するＤＶＤ作成システムを提供することである。
【課題を解決するための手段】
【０００６】
この発明に係るＤＶＤ作成システムは、ＩＴＶＲに記憶されるカメラ画像をＤＶＤ−ＶｉｄｅｏフォーマットでＤＶＤメディアにダビングしてＤＶＤを作成するＤＶＤ作成システムにおいて、上記ＩＴＶＲは上記カメラ画像のデータをＡＶＩデータに変換するＡＶＩデータ作成部及び上記カメラ画像に動きが見られるときの上記カメラ画像に関する情報を字幕として表示できるよう字幕データを作成する字幕データ作成部を有し、上記ＡＶＩデータと上記字幕データとをオーサリングするＤＶＤデータ作成部及び上記ＤＶＤデータを上記ＤＶＤメディアに書き込むＤＶＤデータ書込部を有するＤＶＤ作成装置を備える。
【発明の効果】
【０００７】
この発明に係るＤＶＤ作成システムの効果は、市販のＤＶＤプレーヤーでＩＴＶＲに記憶されているカメラ画像を表示できるとともに、撮影日時や時刻などのＩＴＶＲ固有の情報をカメラ画像に字幕として表示でき、市販のＤＶＤプレーヤーなのでパソコンに不慣れな人でも、ＤＶＤを再生できることである。
【図面の簡単な説明】
【０００８】
【図１】この発明を実施するための形態のＤＶＤ作成システムの全体構成図である。
【図２】この発明に係るＩＴＶＲとＤＶＤ作成装置の機能ブロック図である。
【図３】ＨＤＤにＩＴＶＲデータを記憶する様子を説明するためのイメージ図である。
【図４】字幕用データファイルの例を示す図である。
【発明を実施するための形態】
【０００９】
図１は、この発明を実施するための形態のＤＶＤ作成システムの全体構成図である。図２は、この発明に係るＩＴＶＲとＤＶＤ作成装置の機能ブロック図である。図３は、ＨＤＤにＩＴＶＲデータを記憶する様子を説明するためのイメージ図である。図４は、字幕用データファイルの例を示す図である。
【００１０】
この発明を実施するための最良の形態のＤＶＤ作成システム１は、ＩＴＶＲ２、カメラ３、Ｈａｒｄ  Ｄｉｓｃ  Ｄｒｉｖｅ（以下、「ＨＤＤ」と称す）４、Ｌｏｃａｌ  Ａｒｅａ  Ｎｅｔｗａｒｋ（以下、「ＬＡＮ」と称す）５、ＤＶＤ作成装置６、及びＤＶＤドライブ７を備える。
このＤＶＤ作成システム１では、監視領域をカメラ３が撮影して得たカメラ画像データを所定の期間に亘ってＩＴＶＲ２でＨＤＤ４に記憶し、必要とする期間のカメラ画像データをＤＶＤ作成装置６でＤＶＤメディア８にＤＶＤ−Ｖｉｄｅｏフォーマットで記録する。
カメラ３が撮影して得たカメラ画像データは、通常ＨＤＤ４にモーションディテクト機能を用いてカメラ画像に動きが見られるときだけ記憶しておく。そして、例えば犯罪が有ったときなどカメラ画像の確認が必要になったとき、一般的に普及しているＴＶ９にＤＶＤプレーヤー１０を用いてカメラ画像を映しだして確認することが行われる。
【００１１】
カメラ３は、監視するエレベータのかご内を撮影してカメラ画像のデータ（以下、「ＩＴＶＲデータ」と称す）を出力する。
【００１２】
ＩＴＶＲ２は、カメラ入力処理部２１、ＨＤＤ録画処理部２２、ＡＶＩデータ作成部２３、字幕データ作成部２４、制御部２５、及び送受信部２６を有する。
カメラ入力処理部２１は、カメラ３から出力されるＩＴＶＲデータを１フレーム毎に記憶する。そして、最新のフレームのＩＴＶＲデータを直前のＩＴＶＲデータと対比してカメラ画像内に動きが見出せるか否かを判断する。カメラ画像内に動きが見出せるとき当該フレームのＩＴＶＲデータをＨＤＤ録画処理部２２に送る。また、ＩＴＶＲデータを送るときそのフレームが撮影された時刻も合わせてＨＤＤ録画処理部２２に送る。
ＨＤＤ録画処理部２２は、カメラ入力処理部２１からＩＴＶＲデータが送られてきたら、図３に示すように、ＨＤＤ４の所定の領域に順にＩＴＶＲデータを記憶する。また、ＨＤＤ録画処理部２２は、記憶を再開するときには記憶するフレームに添付された時刻をタイムスタンプとしてＩＴＶＲデータと合わせて記憶する。
【００１３】
制御部２５は、ＩＴＶＲデータをＤＶＤメディア８にダビングするとき、ＨＤＤ４に記憶されているＩＴＶＲデータをＡＶＩデータに変換するようにＡＶＩデータ作成部２３を制御する。
また、制御部２５は、連続した時間帯のＡＶＩデータとそれに対応する字幕データを一括して送受信部２６を介してＤＶＤ作成装置６にＬＡＮ５を経由して送信する。
ＡＶＩデータ作成部２３は、ＨＤＤ４に記憶されているＩＴＶＲデータを連続した時間帯毎に読み出し、ＡＶＩデータに変換する。
字幕データ作成部２４は、ＨＤＤ４に記憶されているタイムスタンプ毎に、図４に示すようなＳＲＩフォーマット等の字幕データを作成する。
ＳＲＩフォーマットで記載された字幕データは、３行のテキストで記載され、１行目には字幕番号、２行目には字幕の表示を開始する開始時間及び終了する終了時間、３行目には撮影したカメラ番号やＩＴＶＲの撮影日時と撮影開始時間がそれぞれ記載されている。
なお、字幕は３２種類程度の複数の言語の対応が可能となっているため、ＩＴＶＲに保存された別の情報（モーションサーチ動作履歴、エレベータの階床等）を別々の字幕情報として保存することにより、ＤＶＤプレーヤーで日付、時刻、モーションサーチ動作履歴（例えばエレベータかご内であれば倒れ検出機能によるもの）といった情報をＴＶに必要に応じて表示することが可能になる。
【００１４】
ＤＶＤ作成装置６は、ＤＶＤデータ作成部３１、ＤＶＤデータ書込部３２、制御部３３、送受信部３４を有する。ＤＶＤ作成装置６にはＤＶＤメディア８にＤＶＤデータを記録するＤＶＤドライブ７が接続されている。
送受信部３４は、ＩＴＶＲ２の送受信部２６との間でＡＶＩデータ及び字幕データを送受信する。
制御部３３は、送受信部３４が受信したＡＶＩデータ及び字幕データをＤＶＤデータ作成部３１に送ってＤＶＤデータ作成部３１にそれらをオーサリングしてＤＶＤデータを作成するように制御する。また、制御部３３は、ＤＶＤデータがＤＶＤデータ作成部３１で作成されたらＤＶＤデータをＤＶＤデータ書込部３２に送る。
ＤＶＤデータ作成部３１は、ＩＴＶＲ２から送られてきたＡＶＩデータ及び字幕データをオーサリングしてＤＶＤ−ＶｉｄｅｏフォーマットのＤＶＤデータを作成する。
ＤＶＤデータ書込部３２は、ＤＶＤドライブ７にセットされたＤＶＤメディア８にＤＶＤデータを記録してＤＶＤプレーヤー１０で再生できるＤＶＤを作成する。
【００１５】
次に、上述のように作成されたカメラ画像データが記録されたＤＶＤをＤＶＤプレーヤー１０で再生してＴＶ４に表示する様子を説明する。
ＤＶＤプレーヤー１０にカメラ画像データが書き込まれたＤＶＤメディア８をセットし、ＤＶＤプレーヤー１０の図示しないリモコンによりＤＶＤプレーヤー１０を操作して再生を行う。再生が開始されると、ＴＶ９にカメラ画像が表示される。そのカメラ画像に字幕として「カメラ１  ２００８／１０／３  １１：５３：５２〜」が表示される。
【００１６】
この発明に係るＤＶＤ作成システムは、市販のＤＶＤプレーヤーでＩＴＶＲに記憶されているカメラ画像を表示できるとともに、撮影日時や時刻などのＩＴＶＲ固有の情報をカメラ画像に字幕として表示でき、市販のＤＶＤプレーヤーなのでパソコンに不慣れな人でも、ＤＶＤを再生できることである。
【符号の説明】
【００１７】
１  ＤＶＤ作成システム、２  ＩＴＶＲ、３  カメラ、４  ＨＤＤ、５  ＬＡＮ、６  ＤＶＤ作成装置、７  ＤＶＤドライブ、８  ＤＶＤメディア、９  ＴＶ、１０  ＤＶＤプレーヤー、２１  カメラ入力処理部、２２  ＨＤＤ録画処理部、２３  ＡＶＩデータ作成部、２４  字幕データ作成部、２５  制御部、２６  送受信部、３１  ＤＶＤデータ作成部、３２  ＤＶＤデータ書込部、３３  制御部、３４  送受信部。
【図１】
2010171803.tif 000003
【図２】
2010171803.tif 000004
【図３】
2010171803.tif 000005
【図４】
2010171803.tif 000006